(57)【特許請求の範囲】
【請求項１】
ＩＣチップ、および、前記ＩＣチップに記録された情報を無線で送信するためのアンテナを有し、表面の少なくとも一部にバーコードまたは文字情報が印字されているインレットと、
内部に前記インレットを包含し、人体の腕に装着可能なリング状に形成された透明のシリコーンゴムと、
を備えるリストバンドであって、
前記インレットは、前記シリコーンゴムよりも単位引張力あたりのその引張方向のひずみが小さいことで、前記シリコーンゴムが周方向に伸縮したときに少なくともその一部が前記シリコーンゴムに対してスリップする
ことを特徴とするリストバンド。
【請求項２】
前記インレットは、硬質フィルムからなる基部を有することにより、前記シリコーンゴムよりも単位引張力あたりのその引張方向のひずみが小さいことを特徴とする請求項１に記載のリストバンド。
【請求項３】
ＩＣチップ、および、前記ＩＣチップに記録された情報を無線で送信するためのアンテナを有するインレットと、
樹脂製の硬質フィルムによって前記インレットを包含し、表面の少なくとも一部にバーコードまたは文字情報が印字されているＲＦＩＤタグと、
内部に前記ＲＦＩＤタグを包含し、人体の腕に装着可能なリング状に形成された透明のシリコーンゴムと、
を備えるリストバンドであって、
前記ＲＦＩＤタグは、前記シリコーンゴムよりも単位引張力あたりのその引張方向のひずみが小さいことで、前記シリコーンゴムが周方向に伸縮したときに少なくともその一部が前記シリコーンゴムに対してスリップする
ことを特徴とするリストバンド。
【請求項４】
前記ＲＦＩＤタグは、２枚の前記硬質フィルムを貼り合わせたラミネート加工によって形成されていることを特徴とする請求項３に記載のリストバンド。
【請求項５】
前記硬質フィルムは、ポリプロピレン（ＰＰ）、ポリエチレン（ＰＥ）、ポリエチレンテレフタレート（ＰＥＴ）、ポリエチレンナフタレート（ＰＥＮ）、ナイロンおよび塩化ビニル（ＰＶＣ）のいずれかの層からなる単層フィルムあるいは少なくとも１つの層を含む多層フィルムであることを特徴とする請求項２または請求項３に記載のリストバンド。
【請求項６】
前記ＩＣチップに記録された情報の少なくとも一部が、前記バーコードまたは前記文字情報に対応していることを特徴とする請求項１または請求項３に記載のリストバンド。
【請求項７】
リング状に形成された前記シリコーンゴムの内面側であって前記アンテナの面と対向する位置には、該アンテナの投影面積より広い面積の補助アンテナが設置されていることを特徴とする請求項１または請求項３に記載のリストバンド。
【請求項８】
前記補助アンテナは、前記シリコーンゴムの内部に設置されていることを特徴とする請求項７に記載のリストバンド。
【発明の詳細な説明】
【技術分野】
【０００１】
本発明は、人体に装着するリストバンドに関し、特に、人体の一部に装着して個人を識別するのに好適なリストバンドに関する。
【背景技術】
【０００２】
従来から、個人を識別するために、人体の手首や足首などの一部に装着する装着バンド（リストバンドなど）が広く使用されている。例えば、医療向けの装着バンドとして、患者を特定するために本人を識別するためのユニークな情報を記録した装着バンドが知られている。このような装着バンドを患者の手首や足首などに巻回すれば、確実に本人を確認して適正な医療処置を施すことができる。
【０００３】
また、装着バンドに記録される本人識別情報としては、装着バンドに印字されたバーコードや視認できる数字などの情報だけでなく、システム的に応用できる非接触で読み書き可能なインレット（ＩＣチップとアンテナ）により記録された情報が、利用されている。
なお、インレットは、その周囲に、保護などのための素材（ポリプロピレン（ＰＰ）など）を備えたＲＦＩＤ(Radio Frequency IDentification)タグとして使用されることもある。
【０００４】
インレットは、ＩＣチップに記録されているＩＤ（IDdentification：識別情報）などをＲＦ（Radio Frequency：無線周波数）で外部へ送信する機能を備えている。このようなインレットは、前記したように、情報を記録した小さなＩＣチップとそのＩＣチップに記録された情報を無線で外部へ送信する小さなアンテナとによって構成されている。例えば、インレットは、長さ５２ｍｍ×幅３ｍｍ程度の小さなアンテナの中央部付近に、幅０.４ｍｍ、奥行き０.４ｍｍ、高さ０.１ｍｍ程度の微細なＩＣチップが取り付けられた構成となっているので、そのインレットをインレット読取装置にかざせば非接触でＩＣチップに記録されている情報（例えば、個人の識別情報など）を容易に読み取らせることができる。
【０００５】
このようなインレット（あるいはＲＦＩＤタグ）を実装した装着バンドは、患者の手首や足首に一度取り付けたら意図的に取り外さない限り退院するまで外れないようになっているため、長時間の使用に耐え得る強度や耐湿性を保持できると共に柔らかくて手首や足首などに違和感が少ないことが要求される。つまり、装着バンドは身体の一部に巻きつけて長時間使用しても耐え得る強度・耐湿性と柔軟性を備えている必要がある。
【０００６】
このような要求に応えるために、従来の装着バンドとして、柔らかくて強度を有するナイロン６などのナイロン層を中間基材とし、その上面の表面基材には軽量で柔軟性のあるポリエチレン（ＰＥ）およびその共重合体を採用し、さらに、人の肌に直接触れる裏面基材にはエンボス加工を施した軽量で柔軟なポリエチレン基材を採用した３層構造としたものがある。
【０００７】
また、この装着バンドの表面基材には個人を識別するためのバーコードや数字などの情報が印字されている。このような装着バンドは、人体の手首や足首などに巻回しても長時間の使用に耐えることができると共に軽量かつ表面がソフトであるので違和感が小さく、かつ個人情報を確実に管理することができる（例えば、特許文献１参照）。
【特許文献１】特開２００５−２８３９９２号公報（段落番号００２３〜００４２、図１〜図３参照）
【発明の開示】
【発明が解決しようとする課題】
【０００８】
しかしながら、前記した従来の装着バンドは、細長い帯状に形成されていて所望の穴に突起を挿入して腕に巻回するようになっているので（つまり、元々の形状がリング状になっていないので）、腕に取り付けるときに手間がかかり、かつ、穴や突起が壊れやすい。また、人の肌に直接触れる部分の裏面基材がポリエチレン（ＰＥ）基材であるので、汗をかいたときに肌にくっついてしまってある程度の違和感を受ける。
【０００９】
さらに、表面層のポリエチレン（ＰＥ）にバーコードや数字などの情報が印字されているので、長時間の使用によってそれらの印字情報が消えてしまうおそれがある。また、インレットは、ナイロンに直接内装されているが、装着バンドの折り曲げや伸縮などに耐え得る構成まで考慮されておらず、折り曲げや引張りにより、ＩＣチップやアンテナ（アルミ箔などの電気伝導体）などが壊れる恐れもある。さらに、ナイロンとインレットの膨張係数の違いによってインレットがナイロン層の表面から剥がれるおそれもある。
【００１０】
本発明は、以上のような問題点に鑑みてなされたものであり、人体に装着したときの違和感が少なく、かつ、外部からストレスがかかってもインレットが壊れにくいリストバンドを提供することを目的とする。
【課題を解決するための手段】
【００１１】
本発明は、前記の目的を達成するために創案されたものであり、ＩＣチップ、および、前記ＩＣチップに記録された情報を無線で送信するためのアンテナを有し、表面の少なくとも一部にバーコードまたは文字情報が印字されているインレットと、内部に前記インレットを包含し、人体の腕に装着可能なリング状に形成された透明のシリコーンゴムと、を備えている。そして、インレットは、シリコーンゴムよりも単位引張力あたりのその引張方向のひずみが小さいことで、シリコーンゴムが周方向に伸縮したときに少なくともその一部がシリコーンゴムに対してスリップするように構成されている。その他の手段については後記する。
【発明の効果】
【００１２】
本発明によれば、人体に装着したときの違和感が少なく、かつ、外部からストレスがかかってもインレットが壊れにくいリストバンドを提供することができる。
【発明を実施するための最良の形態】
【００１３】
＜発明の概要＞
以下、図面を参照しながら、本発明を実施するための最良の形態（以下「実施形態」という。）に係るリストバンドについて、好適な例を挙げて詳細に説明するが、まず、理解を容易にするために本実施形態のリストバンドの概要について説明する。
【００１４】
第１実施形態〜第３実施形態に係るリストバンドは、シリコーンゴムや天然ゴムなどの弾性材を使用してリング状のバンドを形成し、そのリング状の弾性材の内部に、その弾性材よりも伸縮率の低い硬質フィルムでラミネート加工したインレットを実装した構成となっている。なお、伸縮率とは、単位引張力あたりのその引張方向のひずみのことであり、ひずみとは、元の長さに対する引張方向の伸びの比のことである。
【００１５】
つまり、硬質フィルムを用いているのは、シリコーンゴムが伸縮しても硬質フィルムがあまり伸縮せず、それにより、硬質フィルムの内部のインレット（たとえばアンテナ）が破壊されるのを防止するためである。
なお、インレットを薄くするために、インレットに用いるベースフィルムを薄く作成した場合、伸縮によりインレットが破壊されやすくなってしまうことがある。その際、インレットの伸縮率よりも低い伸縮率を有する硬質フィルムでインレットをラミネート加工すれば、一体化されたインレットと硬質フィルムが引張り力により変形しても、伸縮率の低い硬質フィルムに主に応力がかかり、伸縮率の高いインレットに印加される応力が低減され、インレットが破壊される可能性が少なくて済む。
【００１６】
以下、第１実施形態〜第３実施形態では、硬質フィルムでラミネート加工したインレットをＲＦＩＤタグということにする。つまり、リストバンドは次のような工程によって実現（製作）される。まず、ＩＣチップとアンテナからなるインレットを２枚の透明な樹脂製の硬質フィルムによってラミネート加工してＲＦＩＤタグを構成し、ＩＣチップとアンテナを強度的並びに防湿・防塵的に保護する。そして、透明な硬質フィルムの表面にバーコードまたは数字などの文字情報を印字する。さらに、硬質フィルムでラミネート加工されたＲＦＩＤタグをリング状の金型に挿入し、その金型にシリコーンゴムなどの弾性材の溶液を注入して成形加工する。
【００１７】
このようにして成形加工されたリストバンドは、リング状に形成された弾性材（以下、シリコーンゴムとする）を伸ばしながら、手首や足首をその中に挿入すれば簡単に身体に装着することができると共に、故意に外さない限りは身体から容易に外れるおそれもない。また、肌に接触する部分がシリコーンゴムであるので、リストバンドの装着時の違和感も少なく、肌に接触する部分が汗などによって密着するおそれもない。
【００１８】
さらに、リストバンドを折り曲げても、硬質フィルムの剛性によってＲＦＩＤタグはあまり曲がらず、それにより、ＲＦＩＤタグの内部に実装されているインレットを破損されるおそれが少なくて済む。また、印字情報はインレットを覆う透明な硬質フィルムの表面（つまり、ＲＦＩＤタグの表面）に印字され、さらにそのＲＦＩＤタグがシリコーンゴムで覆われているので、リストバンドを長期間使用しても印字情報が消えるおそれはない。もちろん、シリコーンゴムには、ＲＦＩＤタグの表面の印字情報を視認できるような透明な材料が使用される。
【００１９】
また、ポリプロピレン等の硬質フィルムは、シリコーンゴムと比べ伸縮率が低い。ＲＦＩＤタグは、硬質フィルムでインレットを挟んだ構造を有することから、シリコーンゴム内部のＲＦＩＤタグはシリコーンゴムと比べて低い伸縮率を示す。つまり、シリコーンゴムの円周方向に引張り力を加えた場合に、外部のシリコーンゴムが伸縮する長さの率に比べて、内部のＲＦＩＤタグが伸縮する長さの率のほうが短い。したがって、伸縮性の低いアンテナなどが保護されることになる。
【００２０】
このような伸縮率の相違に基づくシリコーンゴムと内部のＲＦＩＤタグの伸びの相違は、内部のＲＦＩＤタグが外部のシリコーンゴムの内部を滑る（スリップする）ことにより吸収される。したがって、ＲＦＩＤタグ内部のアンテナとＩＣチップの接続部は、ラミネート加工されていない場合に比べ、シリコーンゴムリングを人体に装着するときの引張り力に対しても、破壊されにくい。また、シリコーンゴムとＲＦＩＤタグの膨張係数が異なっていても、温度変化に対してはラミネート加工されたＲＦＩＤタグがシリコーンゴムの内部で滑るように少しだけ伸び縮みするので、ＩＣチップやアンテナにはストレスがあまり加わらない。
【００２１】
また、第４実施形態では、インレットのアンテナの基部となるベースフィルムに硬質フィルムを用いることで、インレットを包含する硬質フィルムを用いずにインレットを内包したリストバンドについて説明する。つまり、インレットに、ある程度の強度やシリコーンゴムとの滑りやすさがある場合には、インレットを包含する硬質フィルムを省略することもでき、その場合も、シリコーンゴムが伸びたときに、インレットがシリコーンゴムの内部でスリップすることにより、ＩＣチップやアンテナに加わる力が小さくて済み、インレットが保護されることになる。
【００２２】
＜第１実施形態＞
以下、第１実施形態に係るリストバンドについて、弾性材としてシリコーンゴムを用いた場合を例に挙げて、図面を参照しながら詳細に説明する。図１は、第１実施形態のリストバンドに実装されるインレットの構成図であり、（ａ）は上面図、（ｂ）は側面図、（ｃ）は分解図である。
【００２３】
図１（ａ）および（ｂ）に示すように、インレット１は、ベースフィルム２０の上にアルミ箔などの金属箔で形成された細長い電気伝導体２が設けられ、その電気伝導体２の上面にＩＣチップ３が搭載されることで構成される。また、電気伝導体２とベースフィルム２０を合わせてアンテナ２１という。
【００２４】
電気伝導体２は、送受信される電波の使用周波数の波長をλとすると、長手方向はλ／２の長さでダイポールアンテナを構成している。例えば、電気伝導体２と図示しないインレット読取装置との間で送受信される電波の使用周波数を２．４５ＧＨｚとすると、電気伝導体２の長手方向の長さは約５２ｍｍである。また、電気伝導体２の幅方向の長さは特に限定されないが、例えば、幅０.４ｍｍ、奥行き０.４ｍｍ、高さ０.１ｍｍ程度の大きさのＩＣチップ３を搭載しても多少の余裕がある程度の幅であればよい。一例として、電気伝導体２の長手方向の長さが約５２ｍｍの場合は幅方向の長さは３ｍｍ程度である。なお、使用周波数を１３．５６ＭＨｚとすると、電気伝導体２の長手方向の長さは５２ｍｍよりさらに長くなるが幅については特に限定されない。
【００２５】
さらに、電気伝導体２の厚みは、通常の金属箔の厚みである数１０ミクロン程度であるが、通常の引張り力で電気伝導体２が切れたり破れたりしない程度の厚みであれば、特に厚みは限定されない。あるいは、電気伝導体２は、薄い樹脂製の基板の上に金属蒸着して形成したものであってもよい。
【００２６】
また、本実施形態で用いるインレット１は、パッシブ型である。インレット１は、図示しないインレット読取装置から電気伝導体２で電波を受けて、電気伝導体２の長手方向に生じる電位差を電気伝導体２の中央部における給電部（後記）からＩＣチップ３に供給し、この電位差によりＩＣチップ３が動作する。
【００２７】
図１（ｃ）に示すように（適宜図１（ａ）参照）、電気伝導体２の中央部には、ＩＣチップ３と電気伝導体２との間でインピーダンスマッチングを行うための、かぎ状のスリット２ａ、および、スタブ２ｂが形成されている。ＩＣチップ３の電極３ｃがスリット２ａをまたいで電気伝導体２の給電部２ｃに接続されるので、スリット２ａの幅はＩＣチップ３の端子間隔（電極３ｃの間隔）よりも狭くなっている。本実施形態では、スリット２ａの形成によりできるスタブ２ｂの部分を電気伝導体２とＩＣチップ３の間に直列に接続することで、スタブ２ｂが、アンテナ入力インピーダンスに関するインダクタ成分として働く。このインダクタ成分により、ＩＣチップ３の入力インピーダンスのキャパシティブ成分を相殺し、アンテナ入力インピーダンスとＩＣチップの入力インピーダンスのマッチングを図る。
【００２８】
電気伝導体２の入力インピーダンスは、電気伝導体２の周囲の環境、例えば周囲のシリコーンゴムや硬質フィルムの誘電率の影響で変化するので、スリット２ａ（スタブ２ｂ）の長さを変化させることで、周囲の環境に対応して、ＩＣチップ３と電気伝導体２のインピーダンスマッチングを図ることができる。
ＩＣチップ３は、電気伝導体２から供給された電力で動作することにより、内部に記憶されたＩＤの情報に応じたタイミングで、ＩＣチップ３の入力インピーダンスを変化させる。そうすると、ＩＣチップ３の入力インピーダンスの変化に応じて、ＩＣチップ３がインレット読取装置から供給される電波を反射する反射率が変わる。したがって、インレット読取装置ではＩＣチップ３で反射される電波を受信し、受信した電波の変化の様子からＩＤを読取ることができる。
【００２９】
図２は、図１に示すインレットを２枚の透明な硬質フィルムによってラミネート加工したＲＦＩＤタグの構成図であり、（ａ）は上面図、（ｂ）は側面図である。ベースフィルム２０、電気伝導体２およびＩＣチップ３によって構成されたインレット１は、図２（ｂ）に示すように、ポリプロピレン（ＰＰ）、ポリエチレン（ＰＥ）、ポリエチレンテレフタレート（ＰＥＴ）、ポリエチレンナフタレート（ＰＥＮ）、ナイロン、塩化ビニル（ＰＶＣ）などの硬質フィルム４を上下で貼り合わせてラミネート加工され、ＲＦＩＤタグ６として構成されている。
【００３０】
このようなラミネート加工は、硬質フィルム４がＰＰやＰＥなどであれば、１２０〜１３０℃の温度によって上下の硬質フィルム４を加熱加圧しながら貼り合わせることによって実現される。また、硬質フィルム４がＰＥＴ、ＰＥＮ、ナイロン、ＰＶＣなどであれば、接着剤によって、ラミネート加工を実現することができる。したがって、いずれのラミネート加工の場合でも、温度によって、インレット１を構成する電気伝導体２やＩＣチップ３などが破壊されるおそれはない。
【００３１】
なお、硬質フィルム４は、単層フィルムでも多層フィルムでも、いずれでもよい。たとえば、ＰＥＴとＰＰを張り合わせた多層フィルムの場合、ＰＰにより熱融着によるラミネートが容易になる。
【００３２】
また、図２（ａ）に示すように、ラミネート加工されたＲＦＩＤタグ６の表面（つまり、硬質フィルム４の表面）の任意の部分には、バーコード（１次元または２次元）または数字などの印字情報５が記録されている。この印字情報５は、例えば、“123456”のような数字が記録されていて、整理番号、登録番号、または会員番号などとして使用される。このようにして構成されたＲＦＩＤタグ６は、例えば、使用周波数が２．４５ＧＨｚの場合、長さが６０ｍｍ、幅が６ｍｍ、厚みが１．５ｍｍ程度の大きさである。
【００３３】
なお、ＩＣチップ３の情報と印字情報５は、直接的な関係があってもなくてもいずれでもよいが、たとえば、以下のいずれかの関係を有するものとすることができる。
（１）ＩＣチップ３の情報そのもの、あるいは、ＩＣチップ３の情報をハッシュ関数などの暗号化関数に入力して得られた出力情報を、印字情報５の一部または全部とするもの。
（２）逆に、印字情報５をハッシュ関数などの暗号化関数に入力して得られた出力情報の一部または全部を、ＩＣチップ３に書き込む。
（３）ＩＣチップ３の情報と印字情報５は情報自体としては関数関係にないが、データベースにおいて対応付けて格納する。その場合、インレット読取装置で読み取ったＩＣチップ３の情報、あるいは、目視でリストバンドから読み取って手で入力した印字情報５のいずれかをキーとしてデータベースを検索すれば、対応する他方の情報を読み出して利用することができる。
【００３４】
このようにして硬質フィルム４によってラミネート加工されたＲＦＩＤタグ６は、その内部のインレット１を構成するベースフィルム２０、電気伝導体２およびＩＣチップ３を強度的並びに防湿・防塵的に保護している。さらに、ＲＦＩＤタグ６は、ベースフィルム２０、電気伝導体２およびＩＣチップ３に対して、シリコーンゴムからの摩擦力が直接加わらないように、つまり、シリコーンゴムの伸縮により発生する力が直接電気伝導体２などに伝わらないようにして、インレット１を保護している。
【００３５】
図３は、図２に示すＲＦＩＤタグをリング状のシリコーンゴムの内部に実装して構成されたリストバンドの斜視図である。図３に示すように、リストバンド８はリング状のシリコーンゴム７の内部にＲＦＩＤタグ６が実装された構成となっている。すなわち、図示しないリング状の金型の厚み方向の中央部付近に図２のように構成されたＲＦＩＤタグ６を挿入し、その金型に透明なシリコーンゴム７の溶液を注入する。このとき、シリコーンゴム７の溶液の注入温度は１００℃程度であるので、硬質フィルム４、および、ＲＦＩＤタグ６の内部のインレット１（つまり、ベースフィルム２０、電気伝導体２およびＩＣチップ３）を熱的に破壊させるおそれがない。
【００３６】
次に、シリコーンゴム７の溶液が冷却した後に金型を取り外すと、図３に示すようなリング状のリストバンド８が成形される。このようにして成形されたリストバンド８は、例えば、厚みが５ｍｍ、幅が１０ｍｍ、内径が５０ｍｍ程度のリング状の円筒バンドである。したがって、図３に示すようなリング状のリストバンド８の輪を広げて、手首などをその中に通せば容易に人体に装着することができる。
【００３７】
シリコーンゴム７は、シロキサン結合（−Ｓｉ−Ｏ−）の繰り返しを主鎖とし、側基としてアルキル・アリール基などを持つ重合体で形成された弾力性のあるゴムである。したがって、シリコーンゴム７は、このような分子構造に起因して耐熱性、撥水性、電気絶縁性、耐薬品性、耐老化性などに優れている。一般的に、シリコーンは、重合体の重合度、側基の種類、主鎖の橋かけの程度などによって、液状、グリース状、ゴム状、樹脂状などに任意に変えられるので、本実施形態で使用されるシリコーンゴム７はそれらの化学的特性を考慮して最適に構成されたものである。つまり、本実施形態で使用されるシリコーンゴム７は、高重合度の線状のポリジメチルシロキサンあるいはその共重合体を中程度に橋かけして良好なゴム状弾性を示すように構成されたものである。
【００３８】
図４は、図３に示すリストバンドの一部（Ａ部）の拡大図であり、(ａ)は図３の矢印Ｂの方向から見た断面図、(ｂ)は図３の矢印Ｃの方向から見た上面図である。すなわち、図４（ａ）の断面図に示すように、リング状のリストバンド８は、透明なシリコーンゴム７の厚さ方向の中央部付近にＲＦＩＤタグ６が配置され、そのＲＦＩＤタグ６の内部にはベースフィルム２０、電気伝導体２およびＩＣチップ３からなるインレット１が実装されている。つまり、図４（ｂ）の上面図に示すようにシリコーンゴム７の円周方向（つまり、長手方向）に並行してＲＦＩＤタグ６が内部に配置された構成となっているので、ＲＦＩＤタグ６の内部のインレット１も、シリコーンゴム７の円周方向（長手方向）に並行して配置される状態となっている。
【００３９】
このような構成されたリストバンド８を人体の一部（例えば手首）に装着したときは、電気伝導体２の指向方向を腕の円周方向に向けた状態にすることができるので、図示しないインレット読取装置によってリストバンド８の円周方向を検知すれは容易にＩＣチップ３の情報を読み取ることができる。また、図示しないインレット読取書込装置によってリストバンド８の内部のＩＣチップ３に対して新たな情報を書き込むこともできる。
【００４０】
また、硬質フィルム４は、シリコーンゴム７と固着しにくいＰＥＴなどから構成されているため、使用者が手首などに通す際にリストバンド８を伸ばしたときにシリコーンゴム７が伸びた場合でも、硬質フィルム４はほとんど形を変えず、硬質フィルム４とシリコーンゴム７の間でスリップが起きることになる。それにより、硬質フィルム４に内包されたインレット１には、シリコーンゴム７が伸びたことによる力があまり加わらず、インレット１の破壊される可能性が低減される。
【００４１】
また、図４（ｂ）に示すように、ＲＦＩＤタグ６の表面には“123456”のような目視可能な印字情報５が記録されているが、シリコーンゴム７は透明であるので、リストバンド８の表面からこの印字情報５を読み取って、リストバンド８と装着者との対応関係などを管理することができる。このとき、ＲＦＩＤタグ６の表面に記録された印字情報５は、シリコーンゴム７の内部に封入されているので、患者などがリストバンド８を長期に亘って装着しても消えるおそれはない。
【００４２】
すなわち、本実施形態のリストバンド８に記録された印字情報５は、“123456”などの数字の羅列やバーコードや二次元コードなどであって、患者を特定するための個人識別用のＩＤ番号、性別、名称、生年月日、血液型、担当医の氏名などを記録することができるので、患者の取り違えなどに伴う誤診療を防止するための管理情報として用いることができる。なお、印字情報５がバーコードや二次元コードの場合、読取装置（リーダ）によってそれを光学的に読み取ることが可能となる。
【００４３】
また、インレット１のＩＣチップ３には、患者を特定するための個人識別情報をあらかじめ書き込んでおけば、その患者の診察時にインレット１の情報を読み出すことによって、患者を取り違えることなく適正な診療を行うことができ、さらに、診療経過の記録を残すこともできる。
たとえば、ＩＣチップ３がＲＯＭ（Read Only Memory）型の場合、ＩＣチップ３のＩＤ（Identification）と印字情報５（バーコードの情報など）を関連付けておいて、コンピュータに登録して管理することができる。
【００４４】
なお、図４（ｂ）に示すようなリストバンド８において、数字などの印字情報５を表示などさせるには、たとえば、あらかじめＲＦＩＤタグ６の内部に、磁性粉末と磁性層を塗布したシートをケース状にして封入する。そうすれば、シートは、磁石を近づけるなどすることにより、印字情報５を磁気的に表示でき、書き換えることもできる。また、リストバンド８を揺するなどして、磁性粉末をシート上に付着させることにより、印字情報５を表示させたり、非表示にさせたりすることができる。
【００４５】
また、図４のように構成されたリストバンド８は、ＩＣチップ３がＲＡＭ（Random Access Memory）型の場合、ＩＣチップ３に多くの情報を記録したり書き換えたりすることができるので、例えば、病院において、患者の過去のあらゆる病歴情報をインレット１に記録して総合的な医療に役立てたり、複数の病院間で情報をシステム的に送受信して医療の連携に利用したりすることもできる。もちろん、このリストバンド８は、医療以外の様々な分野において利用することもできる。
【００４６】
＜第２実施形態＞
リストバンド８を人体に装着してインレットを２．４５ＧＨｚの周波数で使用した場合、インレット読取装置から送信される電波は人体で吸収されやすいため、人体の近傍にインレットを設置するとインレットで発生する電力が低減することがある。これは、インレットの感度を低下させるとともに、インレットからの反射波を低減させてしまい、ＩＣチップ３に記録されている情報が読みにくくなることを意味する。そこで、第２実施形態においては、２．４５ＧＨｚの電波を使用しても人体で吸収されにくいようにアンテナを構成したリストバンド８ａを提供する。
【００４７】
図５は、第２実施形態におけるリストバンドの断面の一部拡大図である。すなわち、図５に示すように、電気伝導体２の投影下面に相当するシリコーンゴム７の裏面（つまり、リストバンド８ａの内径部分の肌に接触する位置）に電気伝導体２とほぼ同じ大きさかそれよりやや大きい補助アンテナ９を貼付する。これによって、電気伝導体２の近傍の電波は肌で吸収されにくくなり、インレットの感度が改善されるほか、インレットからの反射波の低減を改善することができる。よって、ＩＣチップ３に記録されている情報の読み取りが容易になる。
なお、補助アンテナ９は、電気伝導体２の長さおよび幅よりやや大きめに構成しておけば、肌での吸収をより有効に防止することができる。
【００４８】
また、あらかじめ、補助アンテナ９を電気伝導体２と対向させて金型内に挿入してシリコーンゴム７を注入してリストバンド８ａを成形すれば、すなわち、補助アンテナ９をシリコーンゴム７の内部に設置すれば、リストバンド８ａの装着や取り外しを繰り返しても補助アンテナ９がリストバンド８ａから脱落するおそれはない。
【００４９】
＜第３実施形態＞
次に、第３実施形態に係るリストバンドについて、図６を参照しながら説明する。
図６は、第３実施形態に係るリストバンドの一部拡大図で、(ａ)は図４（ａ）と同様の断面図、(ｂ)は図４（ｂ）と同様の上面図、（ｃ）は（ｂ）のＸ−Ｘ断面図である。なお、図４と同一の構成には同一の符号を付し、重複説明を適宜省略する。図６のリストバンドが図４のリストバンドと異なっている点は、ＲＦＩＤタグ６の周囲をフィルム４０が覆っていることである。
【００５０】
図６（ａ）、（ｂ）および（ｃ）に示すように、リストバンド８において、ＲＦＩＤタグ６の周囲をフィルム４０が覆い、それらがシリコーンゴム７に内包されている。このフィルム４０は、硬質フィルム４と固着しない（しにくい）ＰＥＴやＰＥＮなどの素材から構成されている。
このように、ＲＦＩＤタグ６の周囲をさらにフィルム４０が覆っていることで、シリコーンゴム７が伸縮したときに、硬質フィルム４とフィルム４０の間でもスリップが起き、シリコーンゴム７の伸縮による力がインレット１にあまり伝わらず、インレット１がより保護される。
【００５１】
なお、第３実施形態では、図６（ｃ）に示すように、フィルム４０を、リストバンド８の長手方向と平行な部分（右側端部）で封止するものとしたが、それ以外の部分で封止するようにしてもよい。
また、第３実施形態では、フィルム４０がＲＦＩＤタグ６の全体を覆うようにしたが、フィルム４０がＲＦＩＤタグ６の中央部付近だけを覆ってＲＦＩＤタグ６の端部は覆わないなど、ＲＦＩＤタグ６の一部を覆うようにしてもよい。
【００５２】
＜第４実施形態＞
次に、第４実施形態に係るリストバンドについて、図７を参照しながら説明する。この第４実施形態では、インレットのアンテナの基部となるベースフィルムに硬質フィルムを用いることで、インレットを包含する硬質フィルムを用いずにインレットを内包したリストバンドを実現する。
図７は、第４実施形態に係るリストバンドの一部拡大図で、図４と対応する図であり、(ａ)は図４（ａ）と同様の断面図、(ｂ)は図４（ｂ）と同様の上面図である。なお、図４と同一の構成には同一の符号を付し、重複説明を適宜省略する。図７のリストバンドが図４のリストバンドと異なっている点は、硬質フィルム４が設けられていないことである。
【００５３】
図７（ａ）および（ｂ）に示すように、インレット１がそのままシリコーンゴム７に内包されている。この場合、インレット１は、シリコーンゴム７よりも、伸縮率（単位引張力あたりのその引張方向のひずみ）が低くなるように構成されている必要がある。そのような構成を実現するには、電気伝導体２やベースフィルム２０の素材にある程度の硬質性を有するものを選択する、あるいは、インレット１とシリコーンゴム７の間に粉末や潤滑液を使用することでそれらの間の摩擦力を減らす、などをすればよい。
たとえば、ベースフィルム２０（基部）が、ＰＰ、ＰＥ、ＰＥＴ、ＰＥＮ、ナイロンおよびＰＶＣなどの硬質フィルムから構成されていればよい。
【００５４】
そうすることで、シリコーンゴム７が周方向に伸縮したときに、インレット１は、少なくともその一部がシリコーンゴム７に対してスリップし、シリコーンゴム７の伸縮による力がインレット１にあまり伝わらず、インレット１が保護される。
なお、図７では、インレット１がシリコーンゴム７の内部においてむきだしになるように構成したが、インレット１の表面のうち電気伝導体２とＩＣチップ３の側（つまり、ベースフィルム２０の逆側）にだけ、図６で用いたフィルム４０が覆うように構成してもよい。
【００５５】
また、第４実施形態のリストバンド８においては、第１実施形態のＲＦＩＤタグ６の場合（図２（ａ）参照）と同様、インレット１の任意の箇所に、バーコードまたは文字情報などの印字情報を表示するようにしてもよい（図示は省略）。その場合、ＩＣチップ３の情報と印字情報は、第１実施形態の場合と同様、直接的な関係があってもなくてもいずれでもよく、また、片方の情報を暗号化してから関係付けておいてもよい。
【００５６】
なお、本実施形態によるリストバンドは、病院に限ることはなく、老人ホームや養護施設など大勢の利用者を管理する施設において一人一人を適正に管理することができると共に、リストバンドを装着した利用者に大きな違和感を受けさせることがない。したがって、本実施形態のリストバンドは、大勢の利用者を管理する施設などにおいて有効に利用することができる。また、本実施形態によるリストバンドは、社会復帰の途上にある受刑者を収容する施設などにおいても利用することができる。
【００５７】
以上で実施形態の説明を終えるが、本発明の態様はこれらに限定されるものではない。たとえば、本実施形態では、装着バンドとして、手首にはめるリストバンドを例として挙げたが、足首にはめるアンクルバンドなど、他のバンドであってもよい。その他、具体的な構成について、本発明の趣旨を逸脱しない範囲で適宜変更が可能である。
【図面の簡単な説明】
【００５８】
【図１】第１実施形態のリストバンドに実装されるインレットの構成図であり、（ａ）は上面図、（ｂ）は側面図、（ｃ）は分解図である。
【図２】図１に示すインレットを２枚の透明な硬質フィルムによってラミネート加工したＲＦＩＤタグの構成図であり、（ａ）は上面図、（ｂ）は側面図である。
【図３】図２に示すＲＦＩＤタグをリング状のシリコーンゴムの内部に実装して構成したリストバンドの斜視図である。
【図４】図３に示すリストバンドの一部拡大図であり、(ａ)は断面図、(ｂ)は上面図である。
【図５】第２実施形態におけるリストバンドの断面の一部拡大図である。
【図６】第３実施形態に係るリストバンドの一部拡大図であり、(ａ)は断面図、(ｂ)は上面図、（ｃ）は（ｂ）のＸ−Ｘ断面図である。
【図７】第４実施形態に係るリストバンドの一部拡大図であり、(ａ)は断面図、(ｂ)は上面図である。
【符号の説明】
【００５９】
１      インレット
２      アンテナ
２ａ    スリット
３      ＩＣチップ
４      硬質フィルム
５      印字情報
６      ＲＦＩＤタグ
７      シリコーンゴム
８      リストバンド
９      補助アンテナ
【図１】
0004755524.tif 000002
【図２】
0004755524.tif 000003
【図３】
0004755524.tif 000004
【図４】
0004755524.tif 000005
【図５】
0004755524.tif 000006
【図６】
0004755524.tif 000007
【図７】
0004755524.tif 000008